(57)【要約】【課題】外刃の孔にヒゲをより深く入り込ませて、ヒゲ剃り効果がより確実に得られるようにする。【解決手段】内刃１１を外刃９に対して振動させる内刃振動源１３にラック２１を取り付け、ラック２１の往復移動により、ピニオン２３及びワンウエイクラッチ２５を介して回転軸２７を一方向に回転させる。回転軸２７の偏心した位置に連結ロッド３１の一端を連結し、連結ロッド３１の他端を保持カセット１７の基端部に連結ピン３３を介して連結する。連結ロッド３１の回転軸２７に対する偏心運動によって、複数の刃ヘッド７を備える保持カセット１７全体をＳ方向に揺動回転させる。【選択図】図２
2009232889.tif 000002
【特許請求の範囲】
【請求項１】
体毛を入り込ませる複数の孔を設けた網状の外刃と、この外刃に対しその内側に位置して往復移動することで外刃と協働して体毛を剃る内刃とを備える刃ヘッドを複数並列配置し、これら複数の刃ヘッドの外刃を保持する外刃保持部材を、かみそり器本体に対し揺動軸を中心として前記外刃の先端側が前記複数の刃ヘッドの並列配置方向に沿って揺動可能としたことを特徴とするかみそり器。
【請求項２】
前記かみそり器本体に、前記内刃を前記外刃に対して往復移動させるための駆動源と、この駆動源によって回転して前記複数の刃ヘッドの並列配置方向が軸芯となる回転軸とをそれぞれ設け、この回転軸の回転中心に対して偏心する位置に、前記複数の刃ヘッドの並列配置方向外側に位置する連結ロッドの一端を連結する一方、この連結ロッドの他端を、前記複数の刃ヘッドを一体的に保持する外刃保持部材の基端部に連結し、前記回転軸の回転に基づく前記連結ロッドの偏心運動により、前記外刃保持部材を、前記かみそり器本体に対し前記揺動軸を中心として揺動させることを特徴とする請求項１に記載のかみそり器。
【請求項３】
前記かみそり器本体に、前記内刃を前記外刃に対して往復移動させるための駆動源と、前記複数の刃ヘッド相互間に位置して前記駆動源によって回転する回転軸部を設け、この回転軸部は、前記かみそり器本体の取付面に対して直交する方向に延設される基端側の中心軸と、この中心軸に対し所定角度屈曲して延設される偏心軸とをそれぞれ備え、この偏心軸に対して相対回転可能なリングを設け、このリングに前記複数の刃ヘッドの並列配置方向に延設される連結ロッドの一端を連結する一方、前記連結ロッドの他端を、前記揺動する外刃保持部材側に連結したことを特徴とする請求項１に記載のかみそり器。
【請求項４】
前記駆動源から前記連結ロッドまで動力を伝達する動力伝達機構を、前記複数の刃ヘッドの並列配置方向中心位置を中心として左右対称としたことを特徴とする請求項２または３に記載のかみそり器。
【請求項５】
前記かみそり器本体に、前記内刃を前記外刃に対して往復移動させるための駆動源を設け、この駆動源とは別の駆動源により、前記外刃保持部材を、前記かみそり器本体に対し前記揺動軸を中心として揺動させることを特徴とする請求項１に記載のかみそり器。
【請求項６】
前記内刃を往復移動させる駆動源とは別の駆動源は、回転モータとこの回転モータによって偏心回転する偏心錘とを有するバイブレータであることを特徴とする請求項５に記載のかみそり器。
【発明の詳細な説明】
【技術分野】
【０００１】
本発明は、複数の孔を設けた網状の外刃と、この外刃の内側に配置されて往復移動することで外刃と協働して体毛を剃る内刃とを備える刃ヘッドを複数設けたかみそり器に関する。
【背景技術】
【０００２】
電気かみそり器は、通常網状の外刃と、外刃の内側に位置してその内面に沿って往復移動する内刃とを備え、外刃の多数の小孔にヒゲを入り込ませた状態で内刃が往復移動することでヒゲを剃ることができる。
【０００３】
その際、より確実なヒゲ剃り効果を得るために、皮膚を伸ばしたり外刃を皮膚表面に強く押し付けることがあるが、充分な効果を得ることが難しい。図２２は、皮膚への押付力と外刃の小孔へのヒゲの入り込み量（絞り出し量）との関係を示しており、押付力の増大とともに入り込み量も増大しているが、余り強く押し付けすぎると、外刃が損傷したり皮膚を痛めたりするなどの不具合が発生し、好ましいものではない。
【０００４】
このため従来では、外刃と内刃とを有する刃ヘッドを剃り方向（外刃の皮膚に対する移動方向）に複数並列に設けたり、外刃を皮膚面に対して垂直に振動させる、あるいは、複数の刃ヘッドのうち中央に位置するもののみを皮膚表面に平行な軸の周りに揺動させるなど、外刃の振動形態に工夫を凝らしたものがある（例えば下記特許文献１参照）。
【特許文献１】特表２０００−５１３９７６号公報（第１５頁，図１）
【発明の開示】
【発明が解決しようとする課題】
【０００５】
しかしながら、上記した従来の電気かみそり器では、外刃の振動形態について各種提示しているものの、網状の外刃の孔にヒゲをより深く入り込ませて、いわゆる深剃りを行うには、更なる改善が必要である。
【０００６】
そこで本発明は、外刃の孔に体毛をより深く入り込ませて、体毛をより効果的にすることができるようにすることを目的としている。
【課題を解決するための手段】
【０００７】
請求項１の発明は、体毛を入り込ませる複数の孔を設けた網状の外刃と、この外刃に対しその内側に位置して往復移動することで外刃と協働して体毛を剃る内刃とを備える刃ヘッドを複数並列配置し、これら複数の刃ヘッドの外刃を保持する外刃保持部材を、かみそり器本体に対し揺動軸を中心として前記外刃の先端側が前記複数の刃ヘッドの並列配置方向に沿って揺動可能としたことを特徴とする。
【０００８】
請求項２の発明は、請求項１に記載のかみそり器であって、前記かみそり器本体に、前記内刃を前記外刃に対して往復移動させるための駆動源と、この駆動源によって回転して前記複数の刃ヘッドの並列配置方向が軸芯となる回転軸とをそれぞれ設け、この回転軸の回転中心に対して偏心する位置に、前記複数の刃ヘッドの並列配置方向外側に位置する連結ロッドの一端を連結する一方、この連結ロッドの他端を、前記複数の刃ヘッドを一体的に保持する外刃保持部材の基端部に連結し、前記回転軸の回転に基づく前記連結ロッドの偏心運動により、前記外刃保持部材を、前記かみそり器本体に対し前記揺動軸を中心として揺動させることを特徴とする。
【０００９】
請求項３の発明は、請求項１に記載のかみそり器であって、前記かみそり器本体に、前記内刃を前記外刃に対して往復移動させるための駆動源と、前記複数の刃ヘッド相互間に位置して前記駆動源によって回転する回転軸部を設け、この回転軸部は、前記かみそり器本体の取付面に対して直交する方向に延設される基端側の中心軸と、この中心軸に対し所定角度屈曲して延設される偏心軸とをそれぞれ備え、この偏心軸に対して相対回転可能なリングを設け、このリングに前記複数の刃ヘッドの並列配置方向に延設される連結ロッドの一端を連結する一方、前記連結ロッドの他端を、前記揺動する外刃保持部材側に連結したことを特徴とする。
【００１０】
請求項４の発明は、請求項２または３に記載のかみそり器であって、前記駆動源から前記連結ロッドまで動力を伝達する動力伝達機構を、前記複数の刃ヘッドの並列配置方向中心位置を中心として左右対称としたことを特徴とする。
【００１１】
請求項５の発明は、請求項１に記載のかみそり器であって、前記かみそり器本体に、前記内刃を前記外刃に対して往復移動させるための駆動源を設け、この駆動源とは別の駆動源により、前記外刃保持部材を、前記かみそり器本体に対し前記揺動軸を中心として揺動させることを特徴とする。
【００１２】
請求項６の発明は、請求項５に記載のかみそり器であって、前記内刃を往復移動させる駆動源とは別の駆動源は、回転モータとこの回転モータによって偏心回転する偏心錘とを有するバイブレータであることを特徴とする。
【発明の効果】
【００１３】
請求項１の発明によれば、刃ヘッドをその複数並列配置した方向に移動させて体毛を剃る際に、１つの刃ヘッドの外刃の刃面に押し付けられて剃られないまま倒れた状態の体毛を、他の刃ヘッドの外刃が、前記体毛の倒れ方向先端に向かって揺動することで、該他の刃ヘッドの外刃により、倒れた状態の体毛を拾い上げて外刃の孔に入り込ませ、体毛をより効果的に剃ることができる。
【００１４】
請求項２の発明によれば、駆動源によって連結ロッドが偏心運動することで、複数の刃ヘッドを保持する外刃保持部材を、揺動軸を中心として揺動させることができる。この際、内刃を往復移動させるための駆動源を利用して外刃保持部材を揺動させているので、駆動源を別々とする場合に比較してヘッド部全体を小型化することができる。
【００１５】
請求項３の発明によれば、駆動源によって回転軸部が回転し、この回転によって、リングに連結した連結ロッドが揺動することで、複数の刃ヘッドを、揺動軸を中心として揺動させることができる。この際、内刃を往復移動させるための駆動源を利用して複数の外刃保持部材を揺動させているので、駆動源を別々とする場合に比較してヘッド部全体を小型化することができ。
【００１６】
請求項４の発明によれば、複数の刃ヘッド全体の揺動運動を、エネルギロスを抑制して効率よく行わせることができる。
【００１７】
請求項５の発明によれば、内刃の往復移動動作に影響を及ぼすことなく揺動速度を自在に設定することができる。
【００１８】
請求項６の発明によれば、歯車などの動力伝達機構が不要であり、揺動させるための駆動源の小型化を達成することができる。
【発明を実施するための最良の形態】
【００１９】
以下、本発明の実施の形態を図面に基づき説明する。図１は、本発明の第１の実施形態に係わるかみそり器として電気かみそり器（シェーバ）を示す正面図、図２は図１のＡ−Ａ断面図、図３は要部の斜視図である。この電気かみそり器は、グリップ部１の先端に、刃ブロック３を備え、グリップ部１にはスイッチ５を設けている。
【００２０】
刃ブロック３は、図１のＡ−Ａ断面図である図２に示すように、４つの刃ヘッド７を並列配置している。これら各刃ヘッド７は、外刃９と、外刃９の内側に位置してその内面にほぼ接触する状態の内刃１１とを備え、内刃１１の下部には、内刃１１を図２中で紙面に直交する方向に往復移動させて振動させる駆動源としての内刃振動源１３を配置している。なお、上記した４つの外刃９のうち、少なくとも配列方向両側部に位置する一対の外刃９は、多数の小孔を備えた網状とする。
【００２１】
そして、上記した４つの内刃１１を、内刃振動源１３の駆動により図２中で紙面に直交する方向に、外刃９に対して往復移動させることで、外刃９の小孔に入り込ませた体毛であるヒゲを、外刃９と内刃１１とで協働して剃ることになる。
【００２２】
４つの刃ヘッド７の内刃１１は、前記した内刃振動源１３上に連結された内刃取付台１５に一体的に取り付けられ、この内刃取付台１５の外側には、外刃７を保持する外刃保持部材としての保持カセット１７を設けている。
【００２３】
なお、上記した刃ヘッド７の数は４つに限ることはなく、少なくとも２つ、すなわち複数設けてあればよい。
【００２４】
また、内刃振動源１３は、前記したグリップ部１に固定してあるヘッドベース１９に取り付け、ヘッドベース１９はヘッドベース受２０に取り付けられて一体化している。このヘッドベース１９，ヘッドベース受２０及びグリップ部１は、かみそり器本体を構成している。
【００２５】
内刃振動源１３の前記複数の刃ヘッド７の並列配置方向両側部（図２中で左右両側部）には、図２中で紙面に直交する方向に延びるラック２１を取り付け、ラック２１の刃ヘッド７側にはピニオン２３を噛合させる。ピニオン２３は、前記したヘッドベース１９と一体のヘッドベース受２０の図２中で左右方向両側部から刃ヘッド７側に突出する先端部２０ａに回転軸２７を介して回転可能に取り付け、このピニオン２３の外側にはワンウエイクラッチ２５の入力側を連結する。
【００２６】
ワンウエイクラッチ２５のピニオン２３と反対の出力側は回転軸２７に連結固定し、回転軸２７の中心に対して偏心した位置に連結ピン２９を介して連結ロッド３１の一端を回転可能に連結する。連結ロッド３１の図２中で下端側の他端は、連結ピン３３によって前記した保持カセット１７に連結する。
【００２７】
また、保持カセット１７は、ヘッドベース受２０の図１中で左右方向両端部に設けてある一対の揺動軸３５を介し、刃ヘッド７の先端側が複数の刃ヘッド７の並列配置方向（図２中で左右方向）に沿って、矢印Ｓで示すように揺動可能としている。
【００２８】
したがって、内刃振動源１３の図２中で紙面に直交する方向の振動によって、内刃１１を同方向に振動させる際に、ラック２１が同方向に往復移動し、これに伴いピニオン２３が揺動回転することで、この揺動回転動作がワンウエイクラッチ２５を介して回転軸２７に伝達され、回転軸２７が一方向に回転する。
【００２９】
回転軸２７の一方向の回転により、連結ロッド３１は、回転軸２７に対して偏心して取り付けてある一端側が回転軸２７に対し偏心回転し、これに伴い全体が揺動運動して図２中で上下に往復移動する。これにより、連結ロッド３１の他端に連結ピン３３を介して連結している保持カセット１７が、前記ヘッドベース受２０に取り付けてある揺動軸３５を中心として、ヘッドベース受２０に対し前記図２中の矢印Ｓで示す方向に外刃９と一体となって揺動する。
【００３０】
このとき、揺動する保持カセット１７の前記回転軸２７の周辺には、保持カセット１７と回転軸２７周辺のワンエイクラッチ２５などとが干渉しないように、図１に示す逃げ穴１７ａを設けている。
【００３１】
また、このとき内刃１１も内刃取付台１５とともに外刃９に追従して揺動する。このような内刃１１の揺動は、内刃取付台１５を内刃振動源１３に対しピボット軸などを利用して揺動可能な構造とする。あるいは、前記した外刃９の揺動が極めて微小なので、内刃取付台１５の内刃振動源１３に対する取り付け部のガタによって内刃１１の揺動が可能となる。
【００３２】
上記したように外刃９が保持カセット１７とともに揺動回転する状態で、刃ヘッド７をその配列方向（図２中で左右方向）に皮膚に沿って移動させてヒゲ剃り作業を行うと、上記の揺動回転により複数の刃ヘッド７の特に両側一対の刃ヘッド７の外刃９が、皮膚に接触したり離れたりする動作が繰り返される。
【００３３】
このとき、皮膚から離れた状態の外刃９が皮膚に接近して接触する際に、皮膚に対して押し付ける動作が発生し、人の力による押し付け力とは違って、皮膚に対する押し付け力を最適に安定して確保することができ、外刃９の孔にヒゲをより深く入り込ませて、ヒゲ剃り効果をより確実に得ることができる。
【００３４】
また、図４に示すように、刃ヘッド７をその複数並列配置した方向（図中で矢印Ｂ方向）に皮膚３７の表面に沿って移動させてヒゲを剃る際に、１つの刃ヘッド７の外刃９に押し付けられて剃られないまま倒れた状態のヒゲ３９を、図示している他の刃ヘッド７が、ヒゲ３９の倒れ方向先端に向かって矢印Ｃで示す側に揺動することで、該他の刃ヘッド７の外刃９によって倒れた状態のヒゲ３９を拾い上げて外刃９の孔に入り込ませ、ヒゲ剃り効果をより確実に得ることができる。
【００３５】
また、本実施形態では、刃ヘッド７を揺動回転させる際に、内刃１１を往復移動（振動）させるための内刃振動源１３を共用しているので、駆動源を別々とする場合に比較してヘッド部である刃ブロック３全体の小型化を達成することができる。
【００３６】
なお、前記図２に示すように、内刃振動源１３の動力を、ラック２１，ピニオン２３，ワンウエイクラッチ２５及び回転軸２７を経て、連結ロッド３１まで伝達する動力伝達機構は、図２中で左右両側に対称的に配置してあり、したがって、刃ヘッド７全体の揺動運動が、エネルギロスを抑制して効率よくなされるものとなる。
【００３７】
図５は、本発明の第２の実施形態に係わる電気かみそり器の、前記図１に対応する正面図、図６は前記図３に対応する斜視図である。この実施形態は、前記図１〜図３に示した第１の実施形態における電気かみそり器のラック２１，ピニオン２３，ワンウエイクラッチ２５，回転軸２７及び連結ロッド３１などからなる動力伝達機構を、複数の刃ヘッド７の配列方向一方側にのみ設けたものである。
【００３８】
これによっても、外刃９を備える保持カセット１７が、揺動軸３５を中心としてヘッドベース受２０に対し第１の実施形態と同様にして揺動回転する。
【００３９】
また、この実施形態では、下部の連結ピン３３と保持カセット１７の図５中で左右両側の先端側の側面に設けた支持ピン４１との間に、一対の支持アーム４３を連結して設けている。
【００４０】
この一対の支持アーム４３は、刃ヘッド７の長手方向両側付近を、ヒゲ剃り時に皮膚に押し当てたときに、後退して傾くのを、支持アーム４３がつっかえ棒のように支持して抑制する。
【００４１】
図７は、図６における連結ロッド４１を覆うカバー４５を設けた例を示している。
【００４２】
図８（ａ）は、本発明の第３の実施形態を示す電気かみそり器の正面図、図８（ｂ）は（ａ）の左側面図ある。この実施形態は、ヘッドベース受２０の側部に取り付けた回転モータ４５によって、保持カセット１７をヘッドベース受２０に対し揺動軸３５を中心として揺動させるようにしたものである。
【００４３】
すなわち、回転モータ４５のモータ軸４７を、ギアボックス４９内に設けた駆動側傘歯車５１に連結し、駆動側傘歯車５１をギアボックス４９内に回転可能に支持させてある従動側傘歯車５３に噛合させる。なお、ギアボックス４９は、回転モータ４５と同様にヘッドベース受２０の側部に取り付けてある。
【００４４】
従動側傘歯車５３の側面の従動側傘歯車５３の中心からずれた外周側には、連結ピン５５を固定して連結ロッド５７の一端を回転可能に連結する。連結ロッド５７の他端は、外刃９側に向けて延設し、保持カセット１７の側部に、取付ブラケット５９を介して取り付けてある連結ピン６１に回転可能に連結する。
【００４５】
したがって、図８に示す第３の実施形態では、回転モータ４５の駆動により、連結ロッド５７が図８中で上下に移動するように揺動運動するので、これに伴い保持カセット１７が第１の実施形態と同様にして揺動軸３５を中心として揺動する。
【００４６】
この第３の実施形態では、内刃１１を往復移動させるための内刃振動減１３とは別の駆動源である回転モータ４５により保持ケース１７を揺動させるようにしているので、内刃１１の振動に影響を及ぼすことなく揺動速度を自在に設定することができる。
【００４７】
なお、本実施形態では、回転モータ４５を、駆動側傘歯車５１とともに、図８（ａ）に対して紙面上で９０度回転させた姿勢として外刃９の長手方向と平行となるよう配置してもよい。また、連結ロッド５７に取り付けてある従動側傘歯車５３の軸方向を、図８（ａ）中で紙面に直交する方向となるようにしてもよい。すなわち、この場合には連結ロッド５７が図８（ａ）中で左右方向に揺動しつつ上下方向に揺動することになる。
【００４８】
図９（ａ）は、本発明の第４の実施形態を示す電気かみそり器の正面図、図９（ｂ）は（ａ）の左側面図である。この実施形態は、保持カセット１７の側面に、バイブレータ６３の回転モータ６３ａを取り付け、そのモータ軸６３ｂに偏心錘６３ｃを取り付ける。モータ軸６３ｂは外刃９の長手方向（図９（ａ）中で左右方向）に延び、偏心錘６３ｃは、モータ軸６３ｂに対して直交する方向に重心が偏っている。
【００４９】
したがって、第４の実施形態では、回転モータ６３ａの駆動により偏心錘６３ｃが偏心回転することで、保持カセット１７が図９中で上下方向に振動が付与されるような力を受け、これによって保持カセット１７が前記したヘッドベース受２０に設けた揺動軸３５を中心として揺動する。
【００５０】
上記した第４の実施形態では、保持カセット１７を揺動させる際に、歯車などの動力伝達機構が不要であり、単に回転モータ６３ａと偏心錘６３ｃによるバイブレータ６３を使用しているので、振動源として小型化を達成することができる。
【００５１】
また、この第４の実施形態においても、第３の実施形態と同様に、内刃１１を往復移動させる内刃振動減１３とは別の駆動源である回転モータ６３ａにより保持ケース１７を揺動させているので、内刃１１の振動に影響を及ぼすことなく揺動速度を自在に設定することができる。
【００５２】
なお、第４の実施形態では、バイブレータ６３を図９（ｂ）中の左右両側の保持カセット１７にそれぞれ設けてもよい。
【００５３】
図１０（ａ）は、本発明の第５の実施形態を示す電気かみそり器の正面図、図１０（ｂ）は同側面断面図である。この実施形態は、前記図９に示した第４の実施形態のようにバイブレータ６３を使用する点は同様であるが、バイブレータ６３の回転モータ６３ａをヘッドベース受２０の先端側部に取り付けている。
【００５４】
バイブレータ６３の駆動によりヘッドベース受２０が振動し、ヘッドベース受２０に対し揺動軸３５を介して揺動する保持カセット１７が、ヘッドベース受２０と保持カセット１７との間のガタによってヘッドベース受２０より大きく振動し、これにより保持カセット１７が揺動軸３５を中心として揺動する。
【００５５】
図１１は、本発明の第６の実施形態に係わる電気かみそり器の刃ブロック３の内部構造を示す斜視図である。なお、この図１１は、複数の刃ヘッド７のうち１つの刃ヘッドの内刃１１を取り付けた状態を図示しており、他の刃ヘッドは省略している。図１２は、図１１に対し保持カセット１７を取り付けた状態を示す刃ブロック３の斜視図である。
【００５６】
図１３は、図１１に示した刃ブロック３の平面図である。但し、図１３は図１１に示してある内刃１１に加え、複数の刃ヘッド７の配列方向反対側に位置する内刃１１も図示している。図１４は図１３の簡略化したＤ−Ｄ断面図、図１５は図１３の簡略化したＥ−Ｅ断面図である。
【００５７】
内刃１１を図１３中左右方向に振動させる内刃振動源１３には、この振動方向に延設されるラック６９を取り付ける。この内刃振動源１３も第１の実施形態と同様にかみそり器本体となるヘッドベース１９上に内刃取付台１５とともに設置してある。
【００５８】
ラック６９は、互いに対向する側に歯部６９ａを備え、歯部６９ａをその長手方向両端付近のヘッドベース１９上に回転可能に設けてあるピニオン７１に噛合させている。ピニオン７１は、図１４，図１５に示すように、ワンウエイクラッチ７３を介して回転軸部７５に取り付ける。
【００５９】
回転軸部７５は、前記したヘッドベース１９上に回転可能に取り付けてあり、ヘッドベース１９上の取付面に対して直交する方向（図１３中で紙面に直交する方向）に延設される基端側の中心軸７７と、先端側の偏心軸７９とを備えている。偏心軸７９は、図１５に示すように、中心軸７７に対し、回転軸部７５の軸方向ほぼ中央の位置Ｐを境にして所定角度θだけ屈曲している。この角度θは、例えば２度程度とする。
【００６０】
そして、上記した偏心軸７９にリング８１を回転可能に嵌め込んでいる。このき、リング８１の中心軸線は、偏心軸７９と同様に中心軸７７に対して所定角度θだけ屈曲している。なお、前記したワンウエイクラッチ７３の出力側は中心軸７７に取り付けている。
【００６１】
図１５に示すように、リング８１の中心軸７７に対して屈曲する方向に対応する両側部には、連結ロッド８３の一端を連結し、連結ロッド８３の他端を、外刃保持部材を構成する保持カセットベース８２に連結する。保持カセットベース８２には、前記した保持カセット１７を装着可能となっているが、図１４，図１５では省略している。
【００６２】
したがって、図１５では、偏心軸７９の角度θの傾きに対応してリング８１及び連結ロッド８３が同様に傾いていることになる。
【００６３】
また、図１４には、ヘッドベース１９に対し保持カセットベース８２が揺動するための揺動軸３５を図示してある。
【００６４】
このような構成の第６の実施形態では、内刃振動源１１の図１３中で左右方向の振動によって、内刃１１を同方向に振動させる際に、ラック６９が同方向に往復移動し、これに伴いピニオン７１が揺動回転することで、この揺動回転動作がワンウエイクラッチ７３を介して回転軸部７５に伝達され、回転軸部７５が中心軸７７の中心軸線を中心として一方向に回転する。
【００６５】
回転軸部７５の一方向の回転により、偏心軸７９が中心軸７７に対し先端側が偏心回転する。この際、偏心軸７９に相対回転可能に嵌め込まれているリング８１は、連結ロッド８３を介して保持カセットベース８２に連結されているので、回転が阻止されて偏心軸７９に対して相対回転することになる。
【００６６】
このときのリング８１は、偏心軸７９とともに回転はしないが、偏心軸７９の偏心回転動作に伴って、外周側が前記屈曲している角度θに対応して図１５中で上下に波打つように変位し、リング８１に連結している連結ロッド８３も同様の動きをする。
【００６７】
つまり、図１５中で左右一対の連結ロッド８３の先端側が上下に波打つように変位し、この変位に伴って保持カセットベース８２が、図１４に示してある揺動軸３５を中心として前記した第１の実施形態と同様に保持カセット１７及び外刃とともに、ヘッドベース１９に対して揺動回転することになり、したがって本実施形態においても第１の実施形態と同様の効果を得ることができる。
【００６８】
なお、本実施形態では、第１の実施形態におけるヘッドベース受２０を省略している。
【００６９】
図１６は、上記したような偏心軸７９の偏心回転に基づく連結ロッド８３の変位を示している。ここで（ａ）は、偏心軸７９が中心軸７７に対して右方向に屈曲した状態であって図１５に対応しており、図中で左側の連結ロッド８３の先端が、同右側の連結ロッド８３の先端よりも図中で上方に位置している。
【００７０】
これに対して（ｂ）は、偏心軸７９が（ａ）の状態から、図１６の上から見て時計方向に９０度回転した状態であり、左右一対の連結ロッド８３の各先端の上下位置は同等となっている。また、（ｃ）は、偏心軸７９が（ｂ）の状態から、図１６の上から見て時計方向にさらに９０度回転した状態であり、（ａ）とは逆に、図中で右側の連結ロッド８３の先端が、同左側の連結ロッド８３の先端よりも図中で上方に位置している。
【００７１】
さらに（ｄ）は、偏心軸７９が（ｃ）の状態から、図１６の上から見て時計方向にさらに９０度回転した状態であり、連結ロッド８３は（ｂ）と同様に左右一対の連結ロッド８３の各先端の上下位置は同等となっている。
【００７２】
このような左右一対の連結ロッド８３の動きによって、保持カセット１７を４つの刃ヘッド７とともに揺動させるのである。なお、リング８１が偏心軸７９に対して相対回転する際には、その回転中心軸線が中心軸７７の回転中心軸線に対して角度θだけ傾いているので、リング８１が偏心軸７９に対して多少の抵抗を受けることになるが、角度θを２度程度と極めて小さくしてあるので問題なく相対回転可能である。
【００７３】
図１７は、本発明の第７の実施形態に係わる電気かみそり器の刃ブロック３の内部構造を示す、前記図１１に対応する斜視図、図１８は平面図である。但し、この図１７，図１８では、図１１で図示していた１つの内刃１１も省略している。図１９，図２０は、図１７，図１８に対し、外刃９を直接支持する外刃保持部材としての外刃ハウジング８５を取り付けた図であり、本実施形態は、この左右一対の外刃ハウジング８５に、前記第６の実施形態における連結ロッド８３の先端を連結している。
【００７４】
なお、上記した外刃ハウジング８５は、本実施形態においては図示していない、前記図１２におけるものとほぼ同様な保持カセット１７に支持されている。
【００７５】
連結ロッド８３の先端に連結している外刃ハウジング８５に対し、連結ロッド８３から前記した揺動する方向に動力を付与することで、外刃ハウジング８５が保持カセットベース８２，保持カセット１７及び外刃９とともに揺動軸３５を中心に、ヘッドベース１９に対して揺動することになる。
【００７６】
図２１は、図２０の簡略化したＦ−Ｆ断面図である。本実施形態では、連結ロッド８３の先端と外刃ハウジング８５の内側下端との間にボールジョイント８７を設け、連結ロッド８３と外刃ハウジング８５とを回転可能に連結している。その他の構成は、前記第６の実施形態とほぼ同様である。
【００７７】
すなわち、第７の実施形態では、偏心軸７９を備えた回転軸部７５の回転により、リング８１及び連結ロッド８３を介して外刃ハウジング８５に動力を伝達し、この外刃ハウジング８５が保持している外刃９及び保持カセット１７，保持カセットベース８２とともに揺動軸３５を中心として、ヘッドベース１９に対して揺動回転する。
【００７８】
なお、連結ロッド８３の先端は、第６の実施形態では保持カセット１７に連結し、第７の実施形態では外刃ハウジング８５に連結しているが、要するに外刃９を揺動できるのであれば、上記とは別の外刃保持部材を構成する部品に連結してもよい。
【図面の簡単な説明】
【００７９】
【図１】本発明の第１の実施形態に係わる電気かみそり器を示す正面図である。
【図２】図１のＡ−Ａ断面図である。
【図３】図１の電気かみそり器の刃ブロックの斜視図である。
【図４】図１の電気かみそり器によるヒゲ剃り時の動作を示す模式図である。
【図５】本発明の第２の実施形態に係わる電気かみそり器の、図１に対応する正面図である。
【図６】本発明の第２の実施形態に係わる電気かみそり器の、図３に対応する斜視図である。
【図７】図６における連結ロッドを覆うカバーを設けた例を示す斜視図である。
【図８】（ａ）は、本発明の第３の実施形態を示す電気かみそり器の正面図、（ｂ）は（ａ）の左側面図である。
【図９】（ａ）は、本発明の第４の実施形態を示す電気かみそり器の正面図、（ｂ）は（ａ）の左側面図である。
【図１０】（ａ）は、本発明の第５の実施形態を示す電気かみそり器の正面図、（ｂ）は（ａ）の左側面断面図である。
【図１１】本発明の第６の実施形態に係わる電気かみそり器の刃ブロックの内部構造を示す斜視図である。
【図１２】図１１に対し保持カセットを取り付けた状態を示す刃ブロックの斜視図である。
【図１３】図１１の刃ブロックの平面図である。
【図１４】図１３の簡略化したＤ−Ｄ断面図である。
【図１５】図１３の簡略化したＥ−Ｅ断面図である。
【図１６】第６の実施形態における偏心軸の偏心回転に基づく連結ロッドの変位を示す動作説明図である。
【図１７】本発明の第７の実施形態に係わる電気かみそり器の刃ブロックの内部構造を示す、図１１に対応する斜視図である。
【図１８】図１７の刃ブロックの平面図である。
【図１９】図１７に対し、外刃を直接支持する外刃ハウジングを取り付けた状態を示す斜視図である。
【図２０】図１９の刃ブロックの平面図である。
【図２１】図２０の簡略化したＦ−Ｆ断面図である。
【図２２】皮膚への押付力と外刃の小孔へのヒゲの入り込み量（絞り出し量）との関係を示す説明図である。
【符号の説明】
【００８０】
７  刃ヘッド
９  外刃
１１  内刃
１３  内刃振動源（駆動源）
１７  保持カセット（外刃保持部材）
１９  ヘッドベース（かみそり器本体）
２１，６９  ラック（駆動源から連結ロッドに動力を伝達する動力伝達機構）
２３，７１  ピニオン（駆動源から連結ロッドに動力を伝達する動力伝達機構）
２５，７３  ワンウエイクラッチ（駆動源から連結ロッドに動力を伝達する動力伝達機構）
２７  回転軸（駆動源から連結ロッドに動力を伝達する動力伝達機構）
３１，８３  連結ロッド
３５  揺動軸
４５，６３ａ  回転モータ（内刃の駆動源とは別の駆動源）
７５  回転軸部（駆動源から連結ロッドに動力を伝達する動力伝達機構）
７７  回転軸部の中心軸
７９  回転軸部の偏心軸
８１  偏心軸に対して相対回転可能なリング（駆動源から連結ロッドに動力を伝達する動力伝達機構）
８２  保持カセットベース（外刃保持部材）
８５  外刃ハウジング（外刃保持部材）
【図１】
2009232889.tif 000003
【図２】
2009232889.tif 000004
【図３】
2009232889.tif 000005
【図４】
2009232889.tif 000006
【図５】
2009232889.tif 000007
【図６】
2009232889.tif 000008
【図７】
2009232889.tif 000009
【図８】
2009232889.tif 000010
【図９】
2009232889.tif 000011
【図１０】
2009232889.tif 000012
【図１１】
2009232889.tif 000013
【図１２】
2009232889.tif 000014
【図１３】
2009232889.tif 000015
【図１４】
2009232889.tif 000016
【図１５】
2009232889.tif 000017
【図１６】
2009232889.tif 000018
【図１７】
2009232889.tif 000019
【図１８】
2009232889.tif 000020
【図１９】
2009232889.tif 000021
【図２０】
2009232889.tif 000022
【図２１】
2009232889.tif 000023
【図２２】
2009232889.tif 000024